(57)【要約】【課題】  空気清浄部の板体に対する空気の接触効率を高め、空気の浄化効率の向上を図る。【解決手段】  空気を取込む空気取込部１と、空気を排出する空気排出部１０と、空気取込部１及び空気排出部１０が接続され空気が流通するダクト２０と、空気取込部１から空気排出部２０に空気を送給する送給ファン２１と、空気経路の途中に設けられ光触媒により空気を清浄にする空気清浄部３０とを備え、空気清浄部３０を、空気が流通可能な間隔を隔てて列設され表面に光触媒が被覆された複数の板体３１と、板体３１の近傍に設けられ板体３１に光触媒を励起する光を照射する発光源３７とを備えて構成し、各板体３１に、空気が流通し光が通過する多数の小孔３２を形成するとともに、各板体３１を空気の送給方向Ｒに対して所定角度傾斜させて配置した。【選択図】  図１
2007307297.tif 000002
【特許請求の範囲】
【請求項１】
空気を取り込んで排出する空気経路の途中に設けられ光触媒により空気を清浄にする空気清浄部を備えた空気清浄装置において、
上記空気清浄部を、空気が流通可能な間隔を隔てて列設され表面に光触媒が被覆された複数の板体と、該板体の近傍に設けられ板体に光触媒を励起する光を照射する発光源とを備えて構成し、上記空気清浄部の各板体に、空気が流通し光が通過する多数の小孔を形成するとともに、各板体を空気の送給方向に対して所定角度傾斜させて配置したことを特徴とする空気清浄装置。
【請求項２】
上記板体の空気の送給方向に対する傾斜角度θを、θ＝２０°±５°に設定したことを特徴とする請求項１記載の空気清浄装置。
【請求項３】
上記板体に設ける多数の小孔の内径φを、φ＝１ｍｍ〜１１ｍｍに設定し、該板体における多数の小孔の開口率Ｑを、Ｑ＝２０〜６０％に設定したことを特徴とする請求項１または２記載の空気清浄装置。
【請求項４】
上記板体を列設した組を、上記空気の送給方向に沿って複数組列設したことを特徴とする請求項１乃至３何れかに記載の空気清浄装置。
【請求項５】
上記板体の傾斜方向が上記隣接する板体の組間で互いに逆方向になるように、該板体の各組を、上記空気の送給方向に沿って複数組列設したことを特徴とする請求項４記載の空気清浄装置。
【請求項６】
空気を取込む空気取込部と、該空気取込部で取り込まれた空気を排出する空気排出部と、上記空気取込部及び空気排出部が接続され空気が流通するダクトと、上記空気取込部からダクトを通って空気排出部に到る空気経路の途中に設けられ上記空気取込部から空気排出部に空気を送給する送給ファンとを備え、上記空気清浄部を、上記空気排出部内に設けたことを特徴とする請求項１乃至５何れかに記載の空気清浄装置。
【請求項７】
上記空気排出部を、空気を排出する開口を有した箱状の筐体と、該筐体の底部側側壁に設けられダクトが接続される接続口と、上記開口を塞ぎ空気を吹出す網状の化粧蓋とを備えて構成し、上記空気清浄部を、上記の複数の板体を上記筐体内の開口側に設け、上記発光源を上記筐体の底壁側に設けて構成したことを特徴とする請求項６記載の空気清浄装置。
【請求項８】
上記化粧蓋の内側に、表面に光触媒が被覆されるとともに空気が流通する多数の小孔が形成された覆い板を設けたことを特徴とする請求項７記載の空気清浄装置。
【請求項９】
空気を取込む空気取込部と、該空気取込部で取り込まれた空気を排出する空気排出部と、上記空気取込部及び空気排出部が接続され空気が流通するダクトと、上記空気取込部からダクトを通って空気排出部に到る空気経路の途中に設けられ上記空気取込部から空気排出部に空気を送給する送給ファンとを備え、上記空気清浄部を、上記ダクトに介装したことを特徴とする請求項１乃至５何れかに記載の空気清浄装置。
【請求項１０】
上記空気清浄部を、開口を有した箱状の筐体と、筐体の一側壁に設けられ空気を流入させるダクトが接続される流入口と、筐体の上記一側壁に対向する他側壁に設けられ空気を流出させるダクトが接続される流出口と、上記複数の板体の組が固定され上記筐体の開口から出し入れ可能に該筐体に収納される板体ユニットと、上記開口を開閉する扉とを備えて構成したことを特徴とする請求項９記載の空気清浄装置。
【請求項１１】
上記発光源を、上記筐体内に設けたことを特徴とする請求項１０記載の空気清浄装置。
【請求項１２】
上記板体ユニットを、複数設け、上記各板体ユニットにおける板体の傾斜方向が隣接する板体ユニットの板体の組間で互いに逆方向になるように、該各板体ユニットの板体の組を配置したことを特徴とする請求項１０または１１記載の空気清浄装置。
【請求項１３】
上記板体を、基材の表面に熱可塑性樹脂からなるバインダを被覆し、該バインダの表面に酸化チタンの皮膜を溶射により形成した構成としたことを特徴とする請求項１乃至１２何れかに記載の空気清浄装置。
【請求項１４】
上記バインダをアクリル樹脂で構成したことを特徴とする請求項１３記載の空気清浄装置。
【請求項１５】
上記皮膜を構成する酸化チタンにおいて、アナターゼ型酸化チタンの残存比率を６５％以上にしたことを特徴とする請求項１３または１４記載の空気清浄装置。
【発明の詳細な説明】
【技術分野】
【０００１】
本発明は、住居，倉庫，畜舎等の屋内にある空気や屋内に導入される空気を清浄にする空気清浄装置に係り、特に、光触媒により空気中の臭い菌成分などの汚染物質を分解するなどして空気を清浄にする空気清浄装置に関する。
【背景技術】
【０００２】
従来、この種の空気清浄装置として、例えば、特許文献１（特開２００１−３２４２１２号公報）に記載のものが知られている。
これは、図１１に示すように、空気を取込む空気取込部１００と、空気取込部１００で取り込まれた空気を排出する空気排出部１０１と、空気取込部１００及び空気排出部１０１が接続され空気が流通するダクト１０２と、空気取込部１００からダクト１０２を通って空気排出部１０１に到る空気経路の途中に設けられ空気取込部１００から空気排出部１０１に空気を送給する送給ファン１０３と、空気取込部１００に設けられ光触媒により空気を清浄にする空気清浄部１０４とを備えている。符合１０５はフィルタである。
【０００３】
空気清浄部１０４は、空気が流通可能な間隔を隔てて列設され表面に光触媒が被覆された複数の板体１０６と、この板体の近傍に設けられ板体１０６に光を照射する蛍光ランプ１０７とを備えて構成されている。板体１０６は、その表面が空気の送給方向Ｒに対して平行になるように枠体１０８に設けられている。
【０００４】
これにより、送給ファン１０３によって空気取込部１００から取り込まれた空気は、空気清浄部１０４の光触媒を被覆した板体１０６を通過するが、この際、空気に混在した汚染物資は板体１０６の光触媒作用によって分解されたり殺菌される。そのため、空気が清浄化され、空気排出部１０１から排出されていく。
【０００５】
【特許文献１】特開２００１−３２４２１２号公報
【発明の開示】
【発明が解決しようとする課題】
【０００６】
ところで、上記の従来の空気清浄装置にあっては、空気清浄部１０４の板体１０６は、その表面が空気の送給方向Ｒに対して平行になるように枠体１０８に設けられているので、光触媒に接触せずに板体１０６間をそのまま通過してしまう空気が多くなり、それだけ、汚染物質の分解能力が低減し、清浄効率が悪いという問題があった。
【０００７】
本発明は上記の問題点に鑑みて為されたもので、空気清浄部の板体に対する空気の接触効率を高め、空気の浄化効率の向上を図った空気清浄装置を提供することを目的とする。
【課題を解決するための手段】
【０００８】
このような目的を達成するための本発明の空気清浄装置は、空気を取り込んで排出する空気経路の途中に設けられ光触媒により空気を清浄にする空気清浄部を備えた空気清浄装置において、上記空気清浄部を、空気が流通可能な間隔を隔てて列設され表面に光触媒が被覆された複数の板体と、該板体の近傍に設けられ板体に光触媒を励起する光を照射する発光源とを備えて構成し、上記空気清浄部の各板体に、空気が流通し光が通過する多数の小孔を形成するとともに、各板体を空気の送給方向に対して所定角度傾斜させて配置した構成としている。
【０００９】
これにより、空気が流れる過程で、空気清浄部においては、板体の表面にある光触媒に発光源から光が照射されており、これにより光触媒が励起させられている。そのため、空気に混在した汚染物資は光触媒作用によって分解されたり殺菌され、空気は清浄化されていく。
この場合、板体には空気が流通し光が通過する多数の小孔が形成されるとともに、各板体は空気の送給方向に対して所定角度傾斜させて配置されているので、板体表面に沿って流れる気流、板体表面で反射する気流、小孔を通過する気流が生じ、これらの気流が相互に作用して渦流が発生し、板体間に複雑な乱気流が発生し、そのため、空気が板体表面に満遍なく接触するようになり、接触効率が向上させられる。しかも、光は、小孔の存在や傾斜配置された板体の存在によって乱反射するので、板体の光触媒に満遍なく光が照射され、励起が確実に行なわれる。このため、空気に混在した汚染物資は光触媒作用によってより一層分解されたり殺菌され易くなり、汚染物質の分解能力が増加して清浄効率が向上させられる。
【００１０】
そして、必要に応じ、上記板体の空気の送給方向に対する傾斜角度θを、θ＝２０°±５°に設定している。より望ましくは、板体の傾斜角度θは、θ＝１８°±１°である。この傾斜角度の設定により、より一層接触効率が向上させられる。即ち、気流に対し垂直に近い角度で配置するほど、小孔を通過する空気が多くなる反面、板体間においては気流が通過し難くなるため、分解能力は高くなるが、一方、送給ファンの回転数を大幅に増やす必要性があり、消費電力及び騒音が増えることになる。逆に、気流に対し水平に近い角度で配置するほど、小孔を通過する気流が少なくなることから複雑な乱気流を発生し難く、その結果、板体に接触せずに部材間をそのまま通過してしまう空気が多くなり分解能力が低くなる。そのため、接触率を高めるために、板体間の間隔を狭めて配置することも考えられるが、その場合には、部材数を増やす必要がある。本構成においては、これらの不具合をできるだけ解消できる最適条件となっている。
【００１１】
また、必要に応じ、上記板体に設ける多数の小孔の内径φを、φ＝１ｍｍ〜１１ｍｍに設定し、該板体における多数の小孔の開口率Ｑを、Ｑ＝２０〜６０％に設定した構成としている。これにより、より一層板体に対する空気の接触効率が向上させられる。
【００１２】
また、必要に応じ、上記板体を列設した組を、上記空気の送給方向に沿って複数組列設した構成としている。板体の組みが連続するので、より一層板体に対する空気の接触効率が向上させられる。
この場合、上記板体の傾斜方向が上記隣接する板体の組間で互いに逆方向になるように、該板体の各組を、上記空気の送給方向に沿って複数組列設したことが有効である。空気の流路が前位にある板体を通過後に後位にある板体の組で偏向されることになり，そのため、気流が、より一層複雑な乱気流となり、その結果、気流の板体への接触効率がより一層高められる。
【００１３】
更に、必要に応じ、空気を取込む空気取込部と、該空気取込部で取り込まれた空気を排出する空気排出部と、上記空気取込部及び空気排出部が接続され空気が流通するダクトと、上記空気取込部からダクトを通って空気排出部に到る空気経路の途中に設けられ上記空気取込部から空気排出部に空気を送給する送給ファンとを備え、上記空気清浄部を、上記空気排出部内に設けた構成としている。空気清浄部を空気排出部と一緒に組立てることができ、組立て効率が向上させられる。
この場合、必要に応じ、上記空気排出部を、空気を排出する開口を有した箱状の筐体と、該筐体の底部側側壁に設けられダクトが接続される接続口と、上記開口を塞ぎ空気を吹出す網状の化粧蓋とを備えて構成し、上記空気清浄部を、上記の複数の板体を上記筐体内の開口側に設け、上記発光源を上記筐体の底壁側に設けて構成している。
【００１４】
更にまた、必要に応じ、上記化粧蓋の内側に、表面に光触媒が被覆されるとともに空気が流通する多数の小孔が形成された覆い板を設けた構成としている。空気は覆い板を通過して排出されるが、覆い板にも同様の光触媒作用が生じることから、この覆い板によって、更に乱気流が発生し易くなり、より一層、通過する空気の光触媒への接触率を高めることができる。
【００１５】
また、必要に応じ、空気を取込む空気取込部と、該空気取込部で取り込まれた空気を排出する空気排出部と、上記空気取込部及び空気排出部が接続され空気が流通するダクトと、上記空気取込部からダクトを通って空気排出部に到る空気経路の途中に設けられ上記空気取込部から空気排出部に空気を送給する送給ファンとを備え、上記空気清浄部を、上記ダクトに介装した構成としている。空気清浄部が独立しているので、組立てが容易になり、メンテナンスも容易になる。
この場合、必要に応じ、上記空気清浄部を、開口を有した箱状の筐体と、筐体の一側壁に設けられ空気を流入させるダクトが接続される流入口と、筐体の上記一側壁に対向する他側壁に設けられ空気を流出させるダクトが接続される流出口と、上記複数の板体の組が固定され上記筐体の開口から出し入れ可能に該筐体に収納される板体ユニットと、上記開口を開閉する扉とを備えて構成している。
この構成においては、必要に応じ、上記発光源を、上記筐体内に設けた構成としている。
これにより、扉の開閉により筐体から板体ユニットを出し入れできるので、板体の洗浄や交換などのメンテナンスを容易に行なうことができる。
【００１６】
また、必要に応じ、上記板体ユニットを、複数設け、上記各板体ユニットにおける板体の傾斜方向が隣接する板体ユニットの板体の組間で互いに逆方向になるように、該各板体ユニットの板体の組を配置した構成としている。各板体ユニットにおける板体の傾斜方向は、隣接する板体ユニットの板体の組間で互いに逆方向になるように、各板体ユニットの板体の組が枠体に固定されているので、空気の流路が前位の板体ユニットを通過後に後位の板体ユニットで偏向されることになり，そのため、気流が、より一層複雑な乱気流となり、その結果、気流の板体への接触効率がより一層高められる。
【００１７】
そしてまた、必要に応じ、上記板体を、基材の表面に熱可塑性樹脂からなるバインダを被覆し、該バインダの表面に酸化チタンの皮膜を溶射により形成した構成としている。これにより、バインダにアナターゼ型酸化チタンを溶射すれば、バインダが形成されているので、アナターゼ型チタニアの未溶融粒子により基材表面が削り取られたり、溶射粒子のリバウンドにより皮膜を形成することができない等の事態が防止され、アナターゼ型チタニアが確実にバインダに捕捉されて製膜されて行く。また、その皮膜の密着強度が高くなる。このため、溶射加工後の基材におけるアナターゼ型チタニアの残存率を向上させることができる。この板体は、皮膜においては、アナターゼ型チタニアの残存率が向上させられ、しかも、緻密で肉厚な酸化チタンの皮膜となっているので、光触媒効果の向上が図られる。また、樹脂をバインダに用いているので、アナターゼ型チタニアの密着性が向上させられ、そのため、製膜された皮膜自体の強度が高くなり、耐久性が向上させられる。
【００１８】
そして、必要に応じ、上記バインダをアクリル樹脂で構成している。入手が容易であり、基材に対する被覆も溶射などにより容易に行なうことができる。
また、必要に応じ、上記皮膜を構成する酸化チタンにおいて、アナターゼ型酸化チタンの残存比率を６５％以上にした構成としている。アナターゼ型チタニアの残存率が、高いので、光触媒効果をより一層向上させることができる。
【発明の効果】
【００１９】
本発明の空気清浄装置によれば、空気清浄部においては、板体には空気が流通する多数の小孔が形成されるとともに、各板体は空気の送給方向に対して所定角度傾斜させて配置されているので、板体表面に沿って流れる気流、板体表面で反射する気流、小孔を通過する気流が生じ、これらの気流が相互に作用して渦流が発生し、板体間に複雑な乱気流が発生し、そのため、空気が板体表面に満遍なく接触するようになり、接触効率を向上させることができる。このため、空気に混在した汚染物資は光触媒作用によってより一層分解されたり殺菌され易くなり、汚染物質の分解能力を増加させて清浄効率を向上させることができる。即ち、シンプルな構成で且つ消費電力、騒音を最小限に抑えながら、通過する気流の板体への接触率を大幅に高めることができ、空気中の悪臭物質等の有害物質の光触媒の酸化作用による分解能力を大幅に向上させることができる。
【００２０】
また、この乱気流の発生により板体の配置間隔を離すことが可能となり、それだけ、板体の配置枚数を減らすことができる。また、板体には空気が流通する多数の小孔が形成されるとともに、各板体は空気の送給方向に対して所定角度傾斜して配置されているので、板体表面で反射する発光源からの光の反射光、小孔を通過する通過光により板体間に複雑な乱反射光が発生させられ、そのため、板体表面における紫外線が照射されない箇所を殆どなくすことができ、そのため、複数の板体の両面に担持された光触媒に、紫外線が万遍なく照射され、光触媒の機能を十分に発揮させることができ、この点でも、空気に含まれる悪臭物質等の有害物質の光触媒の酸化作用による分解能力を大幅に向上させることができる。
【発明を実施するための最良の形態】
【００２１】
以下、添付図面に基づいて、本発明の実施の形態に係る空気清浄装置について詳細に説明する。
図１及び図２には、本発明の第一の実施の形態に係る空気清浄装置を示す。この空気清浄装置は、住居用のもので、部屋の空気を内気循環させて部屋内の空気を清浄化するものである。
【００２２】
本実施の形態に係る空気清浄装置の基本的構成は、部屋の天井Ｔに設けられ部屋内の空気を取込む空気取込部１と、同様に部屋の天井Ｔに設けられ空気取込部１で取り込まれた空気を排出する空気排出部１０と、天井裏に設けられ空気取込部１及び空気排出部１０が接続され空気が流通するダクト２０と、空気取込部１からダクト２０を通って空気排出部１０に到る空気経路の途中に設けられ空気取込部１から空気排出部１０に空気を送給する送給ファン２１と、空気取込部１からダクト２０を通って空気排出部１０に到る空気経路の途中に設けられ光触媒により空気を清浄にする空気清浄部３０とを備えている。
【００２３】
空気取込部１は、空気を取込む開口２を有した箱状の筐体３を備えており、筐体３の開口３の外縁部を天井Ｔに開設した開口Ｔａに嵌合して、該天井Ｔに設けられている。筐体３の底部には、ダクト２０の接続部４が形成されており、この接続部４にダクト２０の一端部が接続されている。また、開口２には、ルーバー５が取り付けられている。そして、送給ファン２１は、この筐体３内に内蔵されており、空気取込部１から空気排出部１０に空気を送給する。
【００２４】
空気排出部１０は、空気を排出する開口１１を有した箱状の筐体１２を備えており、筐体１２の開口１１の外縁部を天井Ｔに開設した開口Ｔｂに嵌合して、該天井Ｔに設けられている。筐体１２の底壁１２ａ側の側壁１２ｂには、ダクト２０が接続される接続口１３が形成されており、この接続口１３にダクト２０の他端部が接続されている。また、開口１１には、この開口１１を塞ぎ空気を吹出す網状の化粧蓋１４が設けられている。
【００２５】
空気清浄部３０は、空気排出部１０内に設けられている。詳しくは、空気清浄部３０は、空気が流通可能な間隔を隔てて列設され表面に光触媒が被覆された複数の板体３１を備えている。複数の板体３１は筐体１２内の開口１１側に設けられている。各板体３１には、空気が流通し光が通過する多数の小孔３２が形成されているとともに、各板体３１は空気の送給方向に対して所定角度傾斜させて配置されている。各板体３１は、筐体１２の相対向する側壁１２ｂの内面に等間隔で形成され板体３１の数に対応して設けられた溝１６に挿入されて保持されている。板体３１は、溝１６に挿脱することにより着脱可能になっている。そのため、筐体１２から板体３１を出し入れできるので、板体３１の洗浄や交換などのメンテナンスを容易に行なうことができる。
【００２６】
図２に示すように、板体３１の空気の送給方向Ｒに対する傾斜角度θは、θ＝２０°±５°に設定されている。実施の形態では、θ＝１８°±１°、より具体的には、θ＝１８°に設定されている。板体３１に設ける多数の小孔３２の内径φは、φ＝１ｍｍ〜１１ｍｍに設定され、板体３１における多数の小孔３２の開口率Ｑは、Ｑ＝２０〜６０％に設定されている。例えば、多数の小孔３２は、行列状に配置されるとともに、小孔３２の内径φは、φ＝１．５ｍｍに設定され、小孔３２間のピッチＰは、Ｐ＝３ｍｍに設定され、開口率Ｑが、Ｑ＝２３％に設定されている。
【００２７】
そしてまた、板体３１は、図３に示すように、板状で多数の小孔３２が開けられた基材３３の表面に樹脂製のバインダ３４（アンダーコート）を被覆し、このバインダ３４の表面に光触媒としての酸化チタンの皮膜３５を溶射により形成して構成されている。被膜３５は板体３１の全面に被覆され、即ち、板体３１の両面及び小孔３２の内周に被覆されている。基材３３としては金属あるいは樹脂が用いられる。バインダ３４はアクリル樹脂で構成されている。皮膜３５を構成する酸化チタンにおいては、アナターゼの残存比率を６５％以上としている。
【００２８】
詳しくは、板体３１の製造方法は、基材３３の表面に樹脂製のバインダ３４を被覆するバインダ被覆工程（１）と、バインダ３４表面に酸化チタン（ＴｉＯ2 ）の粉末を基材３３の表面に溶射して酸化チタンの皮膜３５を形成する酸化チタン溶射工程（２）とからなる。
【００２９】
（１）バインダ被覆工程
この工程では、例えば、ガス燃焼式溶射法であるＨＶＯＦ（Ｈｉｇｈ Ｖｅｌｏｃｉｔｙ Ｏｘｙ Ｆｕｅｌ）溶射法（高速フレーム溶射）により、バインダ３４を溶射する。溶射装置は、後述の酸化チタン溶射工程で用いる酸化チタンの溶射装置３６（図３）と同じものを用いており、プロピレン−酸素などの燃焼炎を熱源としてアクリル樹脂の粉末を加熱溶融して、基材３３の表面に対してコーティングを行なう。このＨＶＯＦ溶射では、燃焼炎の最高温度はせいぜい２８００℃程度である。溶射するアクリル樹脂の粉末は、４５〜１２５μｍの粒径に形成されている。バインダ３４は基材３３の全面に被覆され、即ち、基材３３の両面及び小孔３２の内周に被覆される。
【００３０】
（２）酸化チタン溶射工程
図３に示すように、この工程では、酸化チタンの粉末として、アナターゼ型酸化チタン（アナターゼ型チタニア）を用いる。溶射するアナターゼ型チタニアは、０．２μｍ程度の粒子を造粒して、１０〜４５μｍの粒径に形成されている。
【００３１】
また、この工程では、ここではアナターゼ型酸化チタン（アナターゼ型チタニア）の粉末をガス燃焼式溶射法であるＨＶＯＦ（Ｈｉｇｈ
Ｖｅｌｏｃｉｔｙ Ｏｘｙ Ｆｕｅｌ）溶射法により、アナターゼ型チタニアを溶射する。図３に示すように、溶射装置３６は、溶射フレームを有した溶射ガンから造粒された粒子を溶射する装置であり、プロピレン−酸素などの燃焼炎を熱源としてアナターゼ型チタニアを加熱溶融して、基材３３に対してアナターゼ型チタニアのコーティングを行なう。
【００３２】
酸化チタン溶射工程における溶射条件は、バインダ３４が軟化してチタニア粒子を捕捉できる範囲に設定している。即ち、溶射装置３６と基材３３との溶射距離を適宜に調製して、基板上のバインダ３４の温度Ｔ℃がバインダ３４の融点Ｍ℃に対して、０．５Ｍ≦Ｔ＜Ｍにし、バインダ３４を軟化させて行なうようにしている。
【００３３】
また、このＨＶＯＦ溶射では、燃焼炎の最高温度はせいぜい２８００℃程度であり、１０〜４５μｍの粒径のアナターゼ型チタニア粒子においては、チタニア粒子自体の温度は、表面では高くなるが中心部では８００℃以下になる。アナターゼ型チタニアは、８００℃を超えるような熱影響によりルチル型チタニアに転移するという特徴があるが、チタニア粒子の全部が８００℃を超えて溶融されることが抑止されるので、全てがルチル型チタニアに転移しないように溶射皮膜３５が製膜されていく。即ち、できるだけ入熱を抑えるとともに、しかし、入熱量が不十分だと製膜ができないので、本方法では、チタニア粉末の溶射において、これらの相反する条件を克服している。
【００３４】
そして、溶射装置３６を用いて酸化チタンの粉末をガス式溶射により溶射すると、チタニア粒子の全部が８００℃を超えて溶融されることが抑止されるので、光触媒効果が低いルチル型チタニアへの結晶構造の変化が防止され、基材３３の表面には主にアナターゼ型チタニアが製膜されていく。このため、溶射加工後の基材３３におけるアナターゼ型チタニアの残存率を向上させることができる。溶射条件によっても異なるが、アナターゼ型チタニアの残存比率を６５％以上にすることができる。
【００３５】
また、ＨＶＯＦ溶射によってアナターゼ型チタニアをコーティングする場合、基材３３表面にはアクリル樹脂のバインダ３４が形成されているので、アナターゼ型チタニアの未溶融粒子により基材３３の表面が削り取られたり、溶射粒子のリバウンドにより皮膜３５を形成することができない等の事態が防止され、アナターゼ型チタニアが確実にバインダ３４に捕捉されて製膜されて行き、そのため、その皮膜３５の密着強度が高くなる。
また、このＨＶＯＦ溶射においては、ＬＶＯＦ（Ｌｏｗ Ｖｅｌｏｃｉｔｙ Ｏｘｙ Ｆｕｅｌ）溶射法に比較して、溶射粒子の飛行速度が非常に速いので、基材３３表面に層状に溶着して行き、そのため、基材３３の表面に緻密で肉厚な酸化チタンの皮膜３５が作られていく。酸化チタンの皮膜３５は基材３３の全面に被覆され、即ち、基材３３の両面及び小孔３２の内周に被覆される。
【００３６】
このようにして製造された板体３１は、皮膜３５においては、アナターゼ型チタニアの残存率が向上させられ、しかも、緻密で肉厚な酸化チタンの皮膜３５となっているので、光触媒効果の向上が図られる。また、アクリル樹脂をバインダ３４に用いているので、アナターゼ型チタニアの密着性が向上させられ、そのため、製膜された皮膜３５自体の強度が高くなり、耐久性が向上させられる。
【００３７】
また、図１及び図２に戻り、空気清浄部３０は、板体３１の近傍に設けられ板体３１に光を照射する棒状の発光源３７を備えている。発光源３７としては、紫外線照射ランプが用いられ、例えば、蛍光灯、キセノン灯，水銀灯，ブラックライト，紫外線LED（窒素ガリウム，酸化亜鉛）などを用いることができる。発光源３７は、筐体１２の底壁１２ａの内面に設けられている。尚、発光源３７は、筐体１２の側壁内面に設けるようにしても良い。
また、筐体１２の底壁１２ａの内面には、光を反射する反射板３８が付設されている。反射板３８としては、例えば、アルミ板、鏡，ガラス等適宜の材質のものが用いられる。
【００３８】
更に、化粧蓋１４の内側であって、筐体１２の開口１１には、表面に光触媒が被覆されるとともに空気が流通する多数の小孔４１が形成された覆い板４０が設けられている。覆い板４０は、上記の板体３１と同様に形成されている。
【００３９】
従って、この第一の実施の形態に係る空気清浄装置によれば、送給ファン２１が駆動させられると、室内の空気は、空気取込部１から取り込まれ、ダクト２０を通って空気排出部１０に至り、空気清浄部３０の板体３１を通過して、再び室内に排出される。
空気清浄部３０においては、板体３１及び覆い板４０の表面にある光触媒に紫外線が照射されており、これにより光触媒が励起させられている。そのため、空気に混在した汚染物資は光触媒作用によって分解されたり殺菌され、空気は清浄化されて空気排出部１０から排出されていく。
【００４０】
この場合、板体３１には空気が流通する多数の小孔３２が形成されるとともに、各板体３１は空気の送給方向Ｒに対して所定角度傾斜させて配置されているので、板体３１の表面に沿って流れる気流、板体３１の表面で反射する気流、小孔３２を通過する気流が生じ、これらの気流が相互に作用して渦流が発生し、板体３１間に複雑な乱気流が発生し、そのため、空気が板体３１の表面に満遍なく接触するようになり、接触効率が向上させられる。このため、空気に混在した汚染物資は光触媒作用によってより一層分解されたり殺菌され易くなり、汚染物質の分解能力が増加して清浄効率が向上させられる。
【００４１】
即ち、気流は、板体３１の表面に沿って流れるもの、反射するものだけでなく、小孔３２を通過するものも現れることになる。複数の小孔３２を気流が通過する際には、微小な渦流が無数に発生することになるため、板体３１の面に沿って流れる気流や反射する気流も相俟って、相互に作用し、板体３１間で複雑な気流の流れ(乱気流)が発生し、その結果、板体３１に垂直な方向の運動が促進され、板体３１の表面へ向かう気流の流れが形成され易くなることから、気流の板体３１への接触効率が大幅に高められる。
【００４２】
また、この乱気流の発生により板体３１の配置間隔を離すことが可能となり、それだけ、板体３１の配置枚数を減らすことができる。また、板体３１には空気が流通する多数の小孔３２が形成されるとともに、各板体３１は空気の送給方向Ｒに対して所定角度傾斜して配置されているので、板体３１の表面で反射する発光源３７からの光の反射光、小孔３２を通過する通過光により板体３１間に複雑な乱反射光が発生させられる。即ち、発光源３７である紫外線ランプから照射された紫外線は、板体３１へ直接照射され反射される反射光と、小孔３２を通過して隣接する板体３１へ照射される通過光とができることから、複数の板体３１間で複雑な乱反射が発生することになり、板体３１の表面における紫外線が照射されない箇所（死角）を殆どなくすことができ、そのため、複数の板体３１の両面に担持された光触媒に、紫外線が万遍なく照射され、光触媒の機能を十分に発揮させることができ、この点でも、空気に含まれる悪臭物質等の有害物質の光触媒の酸化作用による分解能力を大幅に向上させることができる。
【００４３】
更に、空気は覆い板４０を通過して排出されるが、覆い板４０にも同様の光触媒作用が生じることから、この覆い板４０によって、更に乱気流が発生し易くなり、空気（気流)が抵抗を受けて通過し難いものとなり、より一層、光触媒への接触率を高めることができる。
【００４４】
更にまた、本実施の形態では、板体３１の傾斜角度θを、θ＝１８°±１°に設定している。実験においては、この傾斜角度の設定により、最適な結果が得られた。気流に対し垂直に近い角度で配置するほど、小孔３２を通過する空気が多くなり気流が通過し難くなるため、分解能力は高くなるが、一方、送給ファン２１の回転数を大幅に増やす必要性があり、消費電力及び騒音が増えることになる。逆に、気流に対し水平に近い角度で配置するほど、小孔３２を通過する気流が少なくなることから複雑な乱気流を発生し難く、その結果、板体３１に接触せずに部材間をそのまま通過してしまう空気が多くなり分解能力が低くなる。そのため、接触率を高めるために、板体３１間の間隔を狭めて配置することも考えられるが、その場合には、部材数を増やす必要がある。本実施の形態では、これらの不具合をできるだけ解消できる最適条件となっている。
【００４５】
尚、上記第一の実施の形態において、板体３１は筐体１２の溝１６に挿入して保持するようにしているが、必ずしもこれに限定されるものではなく、図４に示すように、枠体４３に設けてこの枠体４３を、筐体１２に対して着脱可能に形成しても良く、適宜変更して差支えない。この場合、筐体１２から枠体４３を出し入れできるので、板体３１の洗浄や交換などのメンテナンスを容易に行なうことができる。
【００４６】
図５乃至図７には、本発明の第二の実施の形態に係る空気清浄装置を示す。この空気清浄装置は、畜舎用のもので、畜舎の空気を内気循環させて畜舎内の空気を清浄化するものである。
この第二の実施の形態に係る空気清浄装置の基本的構成は、畜舎Ｓの側壁Ｓａに付設され部屋内の空気を取込む空気取込部１と、畜舎Ｓの天井Ｔの下に設けられ空気取込部１で取り込まれた空気を排出する空気排出部１０と、空気取込部１及び空気排出部１０が接続され空気が流通するとともに中間部が畜舎Ｓ外に配設されたダクト２０と、空気取込部１からダクト２０を通って空気排出部１０に到る空気経路の途中に設けられ空気取込部１から空気排出部１０に空気を送給する送給ファン（図示せず）と、空気取込部１からダクト２０を通って空気排出部１０に到る空気経路の途中に設けられ光触媒により空気を清浄にする空気清浄部５０とを備えている。
【００４７】
図６に示すように、空気取込部１及び空気排出部１０は、複数直列に設けられている。その基本的構成は、上記第一の実施の形態と略同様に構成されているので、説明を省略する。上記第一の実施の形態とは、空気清浄部５０の構成が異なっている。ここでは、空気清浄部５０の構成について説明する。
図５に示すように、空気清浄部５０は、ダクト２０の中間部に介装され、畜舎Ｓ外に配設されている。
【００４８】
空気清浄部５０は、図７に示すように、開口５１を有した箱状の筐体５２を備えている。この筐体５２の一側壁には空気を流入させるダクト２０が接続される流入口５３が形成されており、この流入口５３にダクト２０の空気取込部１側端部が接続されている。筐体５２の一側壁に対向する他側壁には空気を流出させるダクト２０が接続される流出口５４が形成されており、この流出口５４にダクト２０の空気排出部１０側端部が接続されている。また、開口５１には、この開口５１を開閉する扉５５が設けられている。
【００４９】
また、空気清浄部５０は、筐体５２の開口５１から出し入れ可能にこの筐体５２に収納される複数（実施の形態では２つ）の板体ユニット６０を備えている。板体ユニット６０は、上記と同様に、空気が流通可能に間隔を隔てて列設され表面に光触媒が被覆された複数の板体６１を備えている。各板体６１には、空気が流通し光が通過する多数の小孔６２が形成されるとともに、各板体６１は空気の送給方向Ｒに対して所定角度（θ）傾斜させて配置されている。各板体６１の小孔６２，傾斜角度θや製造条件等は上記と同様である。各板体６１は、枠体６３に保持されている。枠体６３の正面には扉５５の裏面に対面する表面板６４が付設され、表面板６４には筐体５２に対して板体ユニット６０を出し入れするための把手６５が設けられている。筐体５２には、板体ユニット６０の出し入れの際、板体ユニット６０をガイドするガイド枠６６が設けられている。
【００５０】
更に、各板体ユニット６０における板体６１の傾斜方向は、隣接する板体ユニット６０の板体６１の組間で互いに逆方向になるように、各板体ユニット６０の板体６１の組が枠体６３に固定されている。即ち、本実施の形態では、板体６１を列設した組が、空気の送給方向Ｒに沿って複数組（実施の形態では２組）列設され、板体６１の傾斜方向が隣接する板体６１の組間で互いに逆方向になるように、列設されている。
【００５１】
更にまた、空気清浄部５０は、板体６１の近傍に設けられ板体６１に光を照射する棒状で上記と同様の発光源６７を複数備えている。発光源６７は、筐体５２内において空気の送給方向Ｒに直交し、各板体ユニット６０を挟むように配設されている。
【００５２】
従って、この第二の実施の形態に係る空気清浄装置によれば、図示外の送給ファンが駆動させられると、畜舎Ｓ内の空気は、空気取込部１から取り込まれ、ダクト２０を通って空気清浄部５０を通過し、更にダクト２０を通って空気排出部１０に至り、再び畜舎Ｓ内に排出される。
空気清浄部５０においては、板体ユニット６０の板体６１の表面にある光触媒に紫外線が照射されており、これにより光触媒が励起させられている。そのため、空気に混在した汚染物資は光触媒作用によって分解されたり殺菌され、空気は清浄化されて空気排出部１０から排出されていく。
【００５３】
この場合、上記と同様に、板体６１には空気が流通する多数の小孔６２が形成されるとともに、各板体６１は空気の送給方向Ｒに対して所定角度傾斜させて配置されているので、板体６１の表面に沿って流れる気流、板体６１の表面で反射する気流、小孔６２を通過する気流が生じ、これらの気流が相互に作用して渦流が発生し、板体６１間に複雑な乱気流が発生し、そのため、空気が板体６１の表面に満遍なく接触するようになり、接触効率が向上させられる。このため、空気に混在した汚染物資は光触媒作用によってより一層分解されたり殺菌され易くなり、汚染物質の分解能力が増加して清浄効率が向上させられる。
【００５４】
また、筐体５２内には、板体ユニット６０が並設され、しかも、各板体ユニット６０における板体６１の傾斜方向は、隣接する板体ユニット６０の板体６１の組間で互いに逆方向になるように、各板体ユニット６０の板体６１の組が枠体６３に固定されているので、空気の流路が最初の板体ユニット６０を通過後に次の板体ユニット６０で偏向されることになり，そのため、気流が、より一層複雑な乱気流となり、その結果、気流の板体６１への接触効率がより一層高められる。
【００５５】
更に、この乱気流の発生により板体６１の配置間隔を離すことが可能となり、それだけ、板体６１の配置枚数を減らすことができる。また、板体６１には空気が流通する多数の小孔６２が形成されるとともに、各板体６１は空気の送給方向Ｒに対して所定角度傾斜して配置されているので、板体６１の表面で反射する発光源６７からの光の反射光、小孔６２を通過する通過光により板体６１間に複雑な乱反射光が発生させられる。即ち、発光源６７である紫外線ランプから照射された紫外線は、板体６１へ直接照射され反射される反射光と、小孔６２を通過して隣接する板体６１へ照射される通過光とができることから、複数の板体６１間で複雑な乱反射が発生することになり、板体６１の表面における紫外線が照射されない箇所（死角）を殆どなくすことができ、そのため、複数の板体６１の両面に担持された光触媒に、紫外線が万遍なく照射され、光触媒の機能を十分に発揮させることができ、この点でも、空気に含まれる悪臭物質等の有害物質の光触媒の酸化作用による分解能力を大幅に向上させることができる。
【００５６】
更にまた、空気清浄部５０は、屋外に設けられており、扉５５の開閉により筐体５２から板体ユニット６０を出し入れできるので、板体６１の洗浄や交換などのメンテナンスを容易に行なうことができる。
【００５７】
図８乃至図１０には、本発明の別の実施の形態に係る空気清浄装置を示す。この空気清浄装置は、筐体８０の一端側に設けられ空気を取込む空気取込部１と、筐体８０の他端側に設けられ空気取込部１で取り込まれた空気を排出する空気排出部１０と、空気取込部１に設けられ空気取込部１から空気排出部１０に空気を送給する送給ファン２１と、空気取込部１から空気排出部１０に到る空気経路の途中に設けられ光触媒により空気を清浄にする空気清浄部３０とを備えている。実施の形態では、筐体８０は３つ連設されている。
【００５８】
空気清浄部３０は、空気が流通可能な間隔を隔てて列設され表面に光触媒が被覆された複数の板体３１を備えている。各板体３１は筐体８０の長手方向に沿って列設されている。各板体３１には、空気が流通する多数の小孔３２が形成されているとともに、各板体３１は空気の送給方向に対して所定角度傾斜させて配置されている。板体３１の空気の送給方向Ｒに対する傾斜角度θは、上記と異なり、θ＝７０°±５°に設定されている。板体３１に設ける多数の小孔３２の内径φ及び開口率Ｑは上記と同様である。また、板体３１は、上記と同様に、樹脂製のバインダ３４（アンダーコート）を介して光触媒としての酸化チタンの皮膜が溶射により被覆されている。更に、空気清浄部３０は、板体３１の近傍であって筐体８０の天井部に板体３１に光を照射する棒状の上記と同様の発光源３７を備えている。
【００５９】
従って、この第三の実施の形態に係る空気清浄装置によっても、板体３１の空気の送給方向Ｒに対する傾斜角度θが、θ＝７０°±５°に設定されており、上記と異なるものの、上記と同様に、空気清浄部３０においては、光触媒に紫外線が照射されており、これにより光触媒が励起させられている。そのため、空気に混在した汚染物資は光触媒作用によって分解されたり殺菌され、空気は清浄化されて空気排出部１０から排出されていく。この場合、上記と同様に、板体３１には空気が流通する多数の小孔３２が形成されるとともに、各板体３１は空気の送給方向Ｒに対して所定角度傾斜させて配置されているので、板体３１の表面に沿って流れる気流、板体３１の表面で反射する気流、小孔３２を通過する気流が生じ、これらの気流が相互に作用して渦流が発生し、板体３１間に複雑な乱気流が発生し、そのため、空気が板体３１表面に満遍なく接触するようになり、接触効率が向上させられる。このため、空気に混在した汚染物資は光触媒作用によってより一層分解されたり殺菌され易くなり、汚染物質の分解能力が増加して清浄効率が向上させられる。
【００６０】
尚、上記実施の形態において、板体３１，６１の数，板体３１，６１の傾斜角度θや小孔３２，６２の数や大きさ等の数値条件は、上述したものに限定されるものではなく、適宜変更して差支えない。尚また、上記実施の形態では、本発明を、内気循環の経路に適用したが、必ずしもこれに限定されるものではなく、外気導入の経路あるいはまた内気循環と外気導入とを同時に行なう経路に適用しても良く適宜変更して差支えない。
【図面の簡単な説明】
【００６１】
【図１】本発明の第一の実施の形態に係る空気清浄装置を示す図である。
【図２】本発明の第一の実施の形態に係る空気清浄装置において空気取入部及び空気清浄部の構造を示す断面図である。
【図３】本発明の実施の形態に係る空気清浄装置において板体の構造及びその製造方法の一例を示す図である。
【図４】本発明の第一の実施の形態に係る空気清浄装置において板体の取付の変形例を示す図である。
【図５】本発明の第二の実施の形態に係る空気清浄装置をその取付状態とともに示す斜視図である。
【図６】本発明の第二の実施の形態に係る空気清浄装置をその取付状態とともに示す断面図である。
【図７】本発明の第二の実施の形態に係る空気清浄装置において空気清浄部の構造を示す分解斜視図である。
【図８】本発明の第三の実施の形態に係る空気清浄装置を示す斜視図である。
【図９】本発明の第三の実施の形態に係る空気清浄装置を示す側面図である。
【図１０】本発明の第三の実施の形態に係る空気清浄装置を示す縦断面図である。
【図１１】従来の空気清浄装置の一例を示す断面図である。
【符号の説明】
【００６２】
Ｔ  天井
１  空気取込部
１０  空気排出部
１１  開口
１２  筐体
１３  接続口
１４  化粧蓋
２０  ダクト
２１  送給ファン
３０  空気清浄部
３１  板体
３２  小孔
Ｒ  送給方向
θ  傾斜角度
３３  基材
３４  バインダ
３５  皮膜
３６  溶射装置
３７  発光源
３８  反射板
４０  覆い板
４１  小孔
Ｓ  畜舎
５０  空気清浄部
５１  開口
５２  筐体
５３  流入口
５４  流出口
５５  扉
６０  板体ユニット
６１  板体
６２  小孔
６３  枠体
６６  ガイド枠
６７  発光源
８０  筐体
【図１】
2007307297.tif 000003
【図２】
2007307297.tif 000004
【図３】
2007307297.tif 000005
【図４】
2007307297.tif 000006
【図５】
2007307297.tif 000007
【図６】
2007307297.tif 000008
【図７】
2007307297.tif 000009
【図８】
2007307297.tif 000010
【図９】
2007307297.tif 000011
【図１０】
2007307297.tif 000012
【図１１】
2007307297.tif 000013